(57)【要約】【課題】  タッチ式に操作を行なうことに比して、より明確な使用感が得られ操作を確実に行うことが可能な回転式操作装置において、電気機器・電子機器に付設して使用する際、当該電気機器・電子機器を梱包する際に包装が簡便であって、梱包材の形成・製造が煩雑にならず、又、付設した機器が衝突しても破損が生じに難くすることを目的とする。【解決手段】機器に取付くベース３と、回転式に操作を行なう操作手段４を備え、それらベース３と操作手段４の間に、ベース３に対して操作手段４もしくは操作手段４を操作するための操作軸６をその軸線の方向にスライド可動とする可動手段５を介在させて構成した。【選択図】  図１
2005050748.tif 000002
【特許請求の範囲】
【請求項１】
ベースと、回転式に操作を行なう操作手段と、それらベースと操作手段の間に介在され、その操作手段又は／及び操作手段の操作を行なうための操作軸をベースに対して操作手段の軸線の方向にスライドさせ得る可動手段からなる回転式操作装置。
【請求項２】
電気機器・電子機器に付設されて使用される際、操作手段を操作するための操作摘み部が、前記付設される電気機器・電子機器の本体に対して、突出と収納の位置を取り得る請求項１に記載の回転式操作装置。
【請求項３】
可動手段が、操作手段の側に付設され、操作手段の軸線と軸線を共通するオネジ部を有するオネジ筒体と、ベースの側に付設され且つメネジ筒体と係合し、オネジ筒体が回転することを規制してオネジ筒体の軸線の方向の移動をガイドし得る直進ガイド体と、それらオネジ筒体と直進ガイド体の間に介在され、オネジ筒体のオネジ部と螺合するメネジ部を有するメネジ筒体と、そのメネジ筒体を正・逆方向に回転駆動する駆動モータから構成される請求項１もしくは請求項２に記載の回転式操作装置。
【発明の詳細な説明】
【技術分野】
【０００１】
この発明は、電気機器や電子機器に付設され、それらの電気・電子回路に接続されて使用され、例えば、回転することによってＯＮとＯＦＦを切換えるスイッチ装置、回転することによって音量を操作するボリューム装置等のように、回転的な操作を行なうことによって電気的な操作を行なう回転式操作装置に関する。
【背景技術】
【０００２】
従来、回転操作することによって電気的な操作を行なう回転式操作装置として、例えば、以下の特許文献で示されたものが知られている。
【０００３】
【特許文献１】特開２０００−４０４４２号公報（図１）
【発明の開示】
【発明が解決しようとする課題】
【０００４】
電気機器・電子機器の電気・電子回路に接続され、電源のＯＮとＯＦＦの切換え操作、信号量の増減操作等を行なう操作装置として、押圧面を押圧することによって操作を行なう、いわゆるタッチ式操作装置がある。
しかしながら、回転式操作装置はタッチ式操作装置に比べて、回転操作をした際にその操作が認知し易いことから、より明確な使用感が得られ操作を確実に行うことが可能である。
【０００５】
しかし、従来の回転式操作装置は、電気機器・電子機器に付設して回路上に組込んで使用する場合、操作を行なうための操作摘み部がそれら電気機器・電子機器の付設面に対して前方に突出した状態で配設されることになる。
【０００６】
この操作摘み部が機器の前方に突出していることにより、従来の回転式操作装置を付設した電気機器・電子機器を梱包の際は、機器本体の包装が簡便とは言えず、操作摘み部の突出分だけ梱包材の対応部分に凹部を形成する必要があり梱包材の形成が煩雑になるという問題があった。
【０００７】
又、梱包材の操作摘み部の対応部分は凹部で肉が薄くなっており、搬送中等において衝突が生じた場合、機器本体に対して突出している操作摘み部が衝突して回転式操作装置そのものが破損を受け易いという問題がある。
殊に、回転式操作装置の衝突による破損は、ケーシング等の衝突による破損による凹み等とは異なり、機器そのものの操作ができなくことに繋がり易く、問題はより深刻であった。
【０００８】
この発明は、上記の事情に鑑みてなされたものであって、より明確な使用感が得られて操作を確実に行うことが可能であって、付設した電気機器・電子機器を梱包する際に包装が簡便であって梱包材の形成が煩雑にならず、又、付設した機器が衝突しても破損が生じ難い回転式操作装置を提供するものである。
【課題を解決するための手段】
【０００９】
この発明は、操作手段と操作手段の操作を行なうための操作軸の少なくとも一方がベースに対し、操作手段の軸線方向にスライド可能となるように構成した回転式操作装置である。
【００１０】
その詳細な構成は、ベースと、回転式に操作を行なう操作手段と、それらベースと操作手段の間に介在され、その操作手段又は／及び操作手段の操作を行なうための操作軸をベースに対して操作手段の軸線の方向にスライドさせ得る可動手段からなる回転式操作装置である。
【００１１】
斯かる構成の回転式操作装置は、具体的な使用の形態として、電気機器・電子機器に付設され電気・電子回路的に接続されて使用される際、操作軸の端部に付設されて操作手段を操作する操作摘み部が、付設される対象の電気機器・電子機器本体に対して突出と収納の位置を取り得るものが挙げられる。
【００１２】
斯かる構成の回転式操作装置の可動手段は、具体的には、操作手段の側に付設され、操作手段の軸線と軸線を共通するオネジ部を有するオネジ筒体と、ベースの側に付設され且つメネジ筒体と係合し、オネジ筒体が回転することを規制してオネジ筒体の軸線の方向の移動をガイドし得る直進ガイド体と、それらオネジ筒体と直進ガイド体の間に介在され、オネジ筒体のオネジ部と螺合するメネジ部を有するメネジ筒体と、そのメネジ筒体を正・逆方向に回転駆動する駆動モータから構成されるものが挙げられる。
【００１３】
斯かる構成の回転式操作装置では、操作手段の操作軸の端部に付設されて操作を行なう操作摘み部は、操作手段の軸線方向に、可動手段によってベースに対してスライドして任意の位置を選択することが可能である。
従って、斯かる構成の回転式操作手段を電気機器・電子機器に付設して用いると、操作摘み部は電気機器・電子機器の機器本体の付設の面に対して収納と突出を取ることが可能になる。
【発明の効果】
【００１４】
この発明は、回転式に操作を行なう操作手段又は／及び操作手段の操作を行なう操作軸がベースに対して操作手段の軸線の方向にスライドさせ可動に構成したことにより、付設した電気機器・電子機器を梱包する際に包装が簡便であって、梱包材の形成・製造が煩雑にならず、又、付設した機器が衝突しても破損が生じ難く、より明確な使用感が得られて操作を確実に行うことが可能な回転式操作装置である。
【発明を実施するための最良の形態】
【００１５】
この発明を、図面と共に以下に詳述する実施例に基づき示す。しかし、この実施例によって、この発明が限定されるものではない。
又、以下に説明する実施例は、電気機器・電子機器に付設し電気回路的に接続して使用する場合を示すものである。
【００１６】
回転式操作装置１は、電気機器・電子機器であるオーディオアンプ２に付設され、回路的に接続された音量調節装置である。
回転式操作装置１は、ベース３と、操作手段４と、可動手段５が備えられている。
【００１７】
ベース２はほぼ円筒形状をしており、前部に操作手段４の操作を行なうための操作軸６が挿通する通孔（図示省略）が開設されている。
又、ベース３の前部はオーディオアンプ２への取付け部になっており、オーディオアンプ２の側の保持板７にネジ止め固定されている。つまり、ベース３は、装置本体を電気機器・電子機器に付設させる機能を有している。
ベース３の後部には、操作手段４が取付けられている。
【００１８】
操作手段４は、回転させることによって信号出力の操作を行なう構成のロータリーエンコーダであって、機能的にはオーディオアンプ２の音量を調節するボリュームである。
操作手段４は、ほぼ中心に操作を行なう操作軸６が配設され、操作軸６の先端には摘んで操作を行なうための操作摘み部８が付設されている。
操作軸６は、操作手段４の本体、つまりベース２に対して、矢印Ａ及びＢ方向にスライド可能になっている。
ここで、回転式操作装置１は、操作摘み部８がオーディオアンプ２のフロント操作パネル９に開設した通孔１０から突出可能となるように、オーディオアンプ２の内部に配設されている。
【００１９】
回転式操作装置１は、ベース３と操作手段４の間に介在され、操作手段４の操作軸６をベース３に対して操作手段４の軸線の方向（矢印Ａ及びＢ方向）にスライドさせ得る可動手段５が備えられている。
可動手段５は、操作手段３の操作軸６の側に付設され、操作手段３の軸線と軸線を共通する多条のオネジ部１１を有するオネジ筒体１２と、ベース３の側に付設され、且つ、メネジ筒体１５と係合し、オネジ筒体１２が回転することを規制してオネジ筒体１２の軸線の方向の移動をガイドし得る直進ガイド体１３と、オネジ筒体１２と直進ガイド体１３の間に介在され、オネジ筒体１２のオネジ部１１と螺合するメネジ部１４を有するメネジ筒体１５と、メネジ筒体１５を正・逆の両方向に回転駆動するステップ式のモータ１６から主に構成されている。
【００２０】
オネジ筒体１２は、軸線を共通して操作軸６が挿通されている。操作軸６とオネジ筒体１２の間には、ベアリング１７が介在されている。
又、操作軸６には、ベアリング１７を挟んで一組のＥリング２５が嵌合され、矢印Ａ及びＢ方向の移動に対してオネジ筒体１２と一体化されている。
更に、オネジ筒体１２の外周部には、軸線と同じ方向で端部からほぼ中央部まで伸びる溝部１８が形成されている。
【００２１】
直進ガイド体１３は、オネジ筒体１２の外周に形成した溝部１８に嵌合する凸部１９が備えられ、オネジ筒体１２が回転することを規制してオネジ筒体１２の軸線の方向の移動をガイドするものである。
又、直進ガイド体１３は、メネジ筒体１５を収納する収納部２０が形成され、メネジ筒体１５が軸線方向に移動することを規制する構成になっている。
【００２２】
メネジ筒体１５は、外周に歯車部２１が形成されている。
歯車部２１はモータ１６の出力軸（図示省略）に取付けられたギア２２と噛合し、メネジ筒体１５はモータ１６からの回転動力を受けて回転する構成になっている。
【００２３】
尚、オーディオアンプ２には、回転式に操作することでオーディオアンプ２の機能の切換えを行なうための操作摘み部２３がフロント操作パネル９に対して前方に突出して配設されている。操作摘み部２３は、操作摘み部８と同様に、フロント操作パネル９に対して突出と収納の位置を取るように構成されている。
又、オーディオアンプ２のフロント操作パネル９の中央部下部は、蝶番状に開閉する蓋体２４となっている。蓋体２４を開状態とすると、装置本体側の正面に表示パネルと操作ボタンスイッチ（共に、図示省略）が配設されている。
【００２４】
回転式操作装置１と、回転式操作装置１をオーディオアンプ２に付設した構成は、上述したようになっている。
以下において、その使用を説明する。
【００２５】
メーカーはオーディオアンプ２を工場で製造され、一定の検査が終えて良品と判断された後に出荷する際に、モータ１６を出力させて操作摘み部８がオーディオアンプ２の本体内に収納するように、可動手段５を作用させる。
つまり、モータ１６を出力させてギア２２と歯車部２１を介してメネジ筒体１５に正方向の回転駆動力を与える。
【００２６】
ここで、メネジ筒体１５の本体は、歯車部２１と同じに正方向に回転する。このメネジ筒体１５の正方向の回転によって、メネジ部１４と螺合しているオネジ部１１を備えたオネジ筒体１２も同じ方向に回転しようとする。
しかし、オネジ筒体１２の溝部１８に直進ガイド体１３の凸部１９が嵌合されているので、溝部１８と凸部１９が共働してオネジ筒体１２の回転することを規制する。
他方、メネジ筒体１５は回転を行なうが、直進ガイド体１３の収納部２０に収納されていることにより、矢印Ａ及びＢ方向のいずれの方向にも移動することはない。
【００２７】
従って、オネジ筒体１２は、矢印Ａ及びＢ方向において停止しているメネジ筒体１５から相対的に逆方向の回転力を受けて、結果的に矢印Ａ方向に進む。
オネジ筒体１２がメネジ筒体１５の所定位置に収納されると、リミッタ（図示省略）が作動して、モータ１６の出力が停止する。
ここで、オネジ筒体１２と矢印Ａ及びＢ方向において一体化している操作軸６はオネジ筒体１２と同じ方向の矢印Ａ方向に同じ距離だけスライドされ、結果的に操作摘み部８も矢印Ａ方向に同じ距離だけスライドし、図１に示すように、オーディオアンプ２の内部に収納された状態となる。
【００２８】
工場のスタッフは、操作摘み部２３を操作摘み部８と同様にフロント操作パネル９に対して収納の位置を取るように操作し、更に、蓋体２４が閉状態であることを確認してから（図２の状態）、オーディオアンプ２の本体をシートで包む。
次に、シートで包まれたオーディオアンプ２を、オーディオアンプ２の本体の形状と大きさに対応して形成された発泡材料からなる梱包材（図示省略）で梱包する。
更に、梱包材で梱包されたオーディオアンプ２の本体を、それに対応して製造された段ボール製の箱に詰めて封をする。
【００２９】
オーディオアンプ２は、このシートで梱包する際、操作摘み部８及び２３がフロント操作パネル９に対して収納の位置を取っていて突出の状態でないので、包装すべき面はほぼ平面状になっていて、オーディオアンプ２の本体をシートで包む作業は簡便に済ませることができている。
又、オーディオアンプ２の梱包の際、オーディオアンプ２は、操作摘み部８及び２３がフロント操作パネル９に対して収納の位置を取っており、操作摘み部８及び２３がフロント操作パネル９に対して突出の状態を取っている場合に比して梱包材に操作摘み部８及び２３の突出分に対応する凹部を形成する加工が不用であることにより、梱包材を簡便に製造することが可能になっている。
【００３０】
更に、オーディオアンプ２が梱包されて或いは梱包無しの状態で運送される際に、何かに衝突した場合であっても、操作摘み部８及び２３がフロント操作パネル９に対して収納の位置を取っているので、衝突はオーディオアンプ２の本体ケーシング（図示省略）で生じて、操作摘み部８及び２３に強い衝撃が加わることは殆どなく、オーディオアンプ２そのものの機能が損なわれることは極めて少ない。
【００３１】
オーディオアンプ２が流通過程を経てユーザーの手許に到ると、そのユーザーはオーディオアンプ２を梱包から解いてＡＶラック（図示省略）の所定位置に設置する。
ここで、ユーザーはモータ１６を出力させて操作摘み部８がオーディオアンプ２の本体内から突出するように、可動手段５を作用させる。
つまり、モータ１６を出力させてギア２２と歯車部２１を介してメネジ筒体１５に逆方向の回転駆動力を与える。
【００３２】
ここで、メネジ筒体１５は、歯車部２１と同じに逆方向に回転する。このメネジ筒体１５の逆方向の回転によって、メネジ部１４と螺合しているオネジ部１１を備えたオネジ筒体１２も同じ方向に回転しようとする。
しかし、オネジ筒体１２の溝部１８に直進ガイド体１３の凸部１９が嵌合しているので、溝部１８と凸部１９が共働してオネジ筒体１２の回転することを規制する。
他方、メネジ筒体１５は回転はするが、直進ガイド体１３の収納部２０に収納されていることにより、矢印Ａ及びＢ方向に移動することはない。
【００３３】
従って、オネジ筒体１２は、矢印Ａ及びＢ方向において停止しているメネジ筒体１５から相対的に正方向の回転力を受けて、結果的に矢印Ｂ方向に進む。オネジ筒体１２がメネジ筒体１５の所定の距離だけ突出すると、リミッタ（図示省略）が作動して、モータ１６の出力が停止する。
ここで、オネジ筒体１２と矢印Ａ及びＢ方向において一体化している操作軸６が矢印Ｂ方向に同じ距離だけスライドされ、結果的に操作摘み部８は矢印Ｂ方向にスライドされることになる。
よって、操作摘み部８は、図３に示すように、オーディオアンプ２のフロント操作パネル９から突出した状態となる。
【００３４】
ユーザーは、操作摘み部２３について、操作摘み部８と同様にフロント操作パネル９に対して突出の状態を取るように操作する（図４）。
ここで、ユーザーは操作摘み部８及び２３を操作し、更には、蓋体２４を開状態にして上記操作ボタンスイッチを操作して、オーディオアンプ２の演奏を行なう。
この演奏のための操作の際、オーディオアンプ２の操作摘み部８及び２３は回転式に操作を行なうものであるから、タッチ式に操作を行なう操作装置（手段）に比べて、より明確な使用感が得られ操作を確実に行うことが可能になっている。
【００３５】
回転式操作装置１は、ベース３に対して操作軸６が矢印Ａ及びＢ方向にスライドする構成であるが、ベース３に対して操作手段４が矢印Ａ及びＢ方向にスライドする構成であってもよい。
又、操作摘み部８のスライドする距離を大きく確保させるために、ベース３に対して操作手段４及び操作軸６が共に矢印Ａ及びＢ方向にスライドする構成が挙げられる。
【００３６】
回転式操作装置１は上述した形態例では音量調節装置であり、操作摘み部２３に対応する回転式操作手段はオーディオアンプ２の機能を切換える装置であるが、他に、チューニングの操作、音質の選択、出力の左右のバランスの操作等を行なうための装置であってもよい。
【００３７】
回転式操作装置１は上述した形態例で、図１及び図２、図３及び図４はそれぞれ操作摘み部８及び２３がオーディオアンプ２に対して収納の位置、最大に突出した位置をとっているが、所望により、両位置の中間の位置を取って使用することも可能である。
操作摘み部８及び２３を前記両位置の中間の位置を取らせることによって、オーディオアンプ２の本体に対する操作摘み部８及び２３の占める大きさを適宜選択することが可能になり、適切な見栄えを確保できる。
【００３８】
回転式操作装置１は、可動手段５が、操作手段４の側に付設されたオネジ筒体１２と、ベース３の側に付設された直進ガイド体１３と、それらオネジ筒体１２と直進ガイド体１３の間に介在されてオネジ筒体１２と螺合するメネジ筒体１５と、メネジ筒体１５を正・逆方向に回転駆動する駆動モータ１６から主に構成されているが、ベース３に対して操作手段４又は／及び操作軸６を矢印Ａ及びＢ方向にスライドするリニアモータ、ソレノイド等であってもよい。
【図面の簡単な説明】
【００３９】
【図１】この発明の実施の形態例をオーディオアンプに組込んだ際の構成を説明する一部切欠き含む一の機能を構成説明図である。
【図２】図１に示す実施の形態例を組込んだオーディオアンプを示す斜視図である。
【図３】図１に示す実施の形態例をオーディオアンプに組込んだ際の構成を説明する一部切欠き含む二の機能を構成説明図である。
【図４】図３に示す実施の形態例を組込んだオーディオアンプを示す斜視図である。
【符号の説明】
【００４０】
１            回転式操作装置
２            オーディオアンプ
３            ベース
４            操作手段
５            可動手段
６            操作軸
８，２３      操作摘み部
９            操作フロントパネル
１２          オネジ筒体
１３          直進ガイド体
１５          メネジ筒体
１８          溝部
１９          凸部
【図１】
2005050748.tif 000003
【図２】
2005050748.tif 000004
【図３】
2005050748.tif 000005
【図４】
2005050748.tif 000006